(57)【要約】【課題】作業性が良好であるとともに、一部の液体試料塗沫部を使用した後で残部の液体試料塗沫部を使用することが出来る、経済的かつ効率的な使用が可能な顕微鏡標本用プレートを提供する。【解決手段】合成樹脂製板２の表面に、堰止部３により囲まれた液体試料塗沫部４を複数個設けるとともに、該液体試料塗沫部４の各々を独立にカバーフィルム５で被覆したことを特徴とする顕微鏡標本用プレート１である。【選択図】図１
2008076136.tif 000002
【特許請求の範囲】
【請求項１】
合成樹脂製板の表面に、堰止部により囲まれた液体試料塗沫部を複数個設けるとともに、該液体試料塗沫部の各々を独立にカバーフィルムで被覆したことを特徴とする顕微鏡標本用プレート。
【請求項２】
カバーフィルムの一部が液体試料塗沫部の周辺部で合成樹脂製板に固定されていることを特徴とする請求項１記載の顕微鏡標本用プレート。
【請求項３】
液体試料塗沫部の個数が３〜５個であることを特徴とする請求項１又は請求項２記載の顕微鏡標本用プレート。
【請求項４】
堰止部が凹状溝からなることを特徴とする請求項１乃至請求項３のいずれかに記載の顕微鏡標本用プレート。
【請求項５】
堰止部が２重の凹状溝からなることを特徴とする請求項４記載の顕微鏡標本用プレート。
【請求項６】
内側の凹状溝が幅０．３〜１．０ｍｍ、深さ０．３〜１．０ｍｍ、外側の凹状溝が幅０．５〜１．５ｍｍ、深さ０．５〜１．５ｍｍであることを特徴とする請求項５記載の顕微鏡標本用プレート。
【請求項７】
液体試料塗沫部を合成樹脂板の表面よりも僅かに低い位置に設けたことを特徴とする請求項１乃至請求項６のいずれか１項に記載の顕微鏡標本用プレート。
【請求項８】
液体試料塗沫部を合成樹脂板の表面よりも０．０３〜０．０６ｍｍ低い位置に設けたことを特徴とする請求項７に記載の顕微鏡標本用プレート。
【請求項９】
液体試料塗沫部の近傍に記録部を設けたことを特徴とする請求項１乃至請求項８のいずれか１項に記載の顕微鏡標本用プレート。
【請求項１０】
臨床検査用であることを特徴とする請求項１乃至請求項９のいずれか１項に記載の顕微鏡標本用プレート。
【発明の詳細な説明】
【技術分野】
【０００１】
本発明は取り扱い性及び作業性に優れた顕微鏡標本用プレートに関し、更に詳しくは、一部の塗沫部を使った後に残部の塗沫部を使用でき、経済的かつ効率的に利用できる顕微鏡標本用プレートに関する。
【背景技術】
【０００２】
尿検査は個々の健康状態を把握する上で基本的且つ重要な臨床検査の指標の一つであり、健康診断や病気の際には必ずと云ってよい程尿検査が行われている。このように尿検査は体調を示す重要な指標の一つである。
尿の検査には、尿のｐＨ、蛋白、潜血反応等を検査する尿定性検査と、尿中の有形成分を検査する尿沈渣検査等がある。
尿沈渣の成分は、主に泌尿器系に由来する各種円柱、結晶体、赤血球、白血球、上皮細胞、その他細菌等である。
【０００３】
尿沈渣用標本は、採取した尿を遠心し、上清を取り除き、残った沈渣成分を染色しその染色沈渣成分をスライドグラス上に適量滴下した後、カバーグラスをかけることにより作成され、顕微鏡で観察される。
【０００４】
このような標本に関して、スライドグラス上に囲み枠で囲われた滞留面を形成し、この滞留面に予め尿沈渣染色液を塗布したプレパラート作製用プレートが提案されている（例えば、特許文献１参照）。
【０００５】
しかしながら、上記プレパラート作製用プレートはガラス製であるため重量が大きく、破損し易く、強度等の面で薄くするには限界があるため厚みが大きくならざるを得ず、従って、嵩張り、取り扱い性が悪いという問題を含んでいる。
【０００６】
また、取り扱い中に手指を傷つける危険があり、従って、細心の注意でもって取り扱う必要があるため作業性が低下し、また、破損した場合には破片が周囲に飛び散り危険である。
また、標本作成時や顕微鏡観察中、更には標本の保管時に落下等により誤って破損する場合も多く、貴重な標本を台無しにする危険をはらんでいる。
特に、検査済み標本の滅菌処理廃棄操作中の怪我発生の可能性が高い。
【０００７】
更に、囲み枠をスクリン印刷して滞留面を形成しているため、滞留面はスライドグラスと囲み枠により微小高さを有する空間部として形成される。従って、該空間部に空気を巻き込み易く、また、滞留面に上下２方向が開放されているため、余分の尿沈渣はこの開放部から漏出し、周囲を汚染するという問題がある。
【０００８】
このような問題を解決するため本出願人は、合成樹脂製板の表面に、堰止部により囲まれた液体試料塗沫部を設けたことを特徴とする顕微鏡標本用プレートを提案している（例えば、特許文献２参照）。この顕微鏡標本用プレートは上記従来技術の問題点を解消し、軽量で、破損し難く、嵩張らず、手指を怪我するような危険性がなく、従って、作業性が良好であるとともに、液体試料が漏出し難く、また空気を巻き込み難く、落下しても貴重な標本を台無しにすることがなく、滅菌廃棄処理の扱いも容易であり作業性及び取り扱い性に極めて優れたものである。
さらに、本出願人は一度に大量の検体を検査し、かつカバーグラスを検体に被せる手間を省くことにより、さらに効率的な検査を可能とするため、一枚の合成樹脂製板に複数の液体試料塗沫部を設け、その上から液体試料塗沫部を覆う一枚の合成樹脂製のカバーフィルムを設けた顕微鏡標本用プレートについても提案している。このような顕微鏡標本用プレートは大量の検査を行う大病院などで特に好んで使用されている。
【０００９】
しかしながら、検査される検体の数は日によって異なり、従って検体の数が少なく一部の液体試料塗沫部のみを使用して検査を行うこともある。このような場合、一度被覆したカバーフィルムを剥がせば、既に検査を行った検体について再検査することができなくなり、さらに一度カバーフィルムを剥がすことにより検査済みの検体が未使用の塗沫部に飛散したり、大気中の異物が混入したりして検査結果に悪影響を与える危険性があるため、これらの不都合を避けるため残部の液体試料塗沫部は使用されずに廃棄される場合があり、不経済である。また、例えば、患者が異なる場合の検査を同時に行ったり、また、患者が同一でも未染色検査と染色検査を同時に行う場合、カバーフィルムが一枚からなるため、カバーフィルムの被着の際にこれらの検体が混じり合わないように細心の注意が必要で、作業性の低下が避けられない。
【特許文献１】特開平７−１１３７３１号
【特許文献２】特開２００５−１７２８０２号
【発明の開示】
【発明が解決しようとする課題】
【００１０】
本発明はかかる実情に鑑み、作業性が良好であるとともに、一部の液体試料塗沫部を使用した後で残部の液体試料塗沫部を使用することができ、経済的かつ効率的な利用が可能な顕微鏡標本用プレートを提供するものである。
【課題を解決するための手段】
【００１１】
上記課題を解決するための本発明の請求項１は、合成樹脂製板の表面に、堰止部により囲まれた液体試料塗沫部を複数個設けるとともに、該液体試料塗沫部の各々を独立にカバーフィルムで被覆したことを特徴とする顕微鏡標本用プレートを内容とする。
【００１２】
本発明の請求項２は、カバーフィルムの一部が液体試料塗沫部の周辺部で合成樹脂製板に固定されていることを特徴とする請求項１記載の顕微鏡標本用プレートを内容とする。
【００１３】
本発明の請求項３は、液体試料塗沫部の個数が３〜５個であることを特徴とする請求項１又は請求項２記載の顕微鏡標本用プレートを内容とする。
【００１４】
本発明の請求項４は、堰止部が凹状溝からなることを特徴とする請求項１乃至請求項３のいずれかに記載の顕微鏡標本用プレートを内容とする。
【００１５】
本発明の請求項５は、堰止部が２重の凹状溝からなることを特徴とする請求項４記載の顕微鏡標本用プレートを内容とする。
【００１６】
本発明の請求項６は、内側の凹状溝が幅０．３〜１．０ｍｍ、深さ０．３〜１．０ｍｍ、外側の凹状溝が幅０．５〜１．５ｍｍ、深さ０．５〜１．５ｍｍであることを特徴とする請求項５記載の顕微鏡標本用プレートを内容とする。
【００１７】
本発明の請求項７は、液体試料塗沫部を合成樹脂板の表面よりも僅かに低い位置に設けたことを特徴とする請求項１乃至請求項６のいずれか１項に記載の顕微鏡標本用プレートを内容とする。
【００１８】
本発明の請求項８は、液体試料塗沫部を合成樹脂板の表面よりも０．０３〜０．０６ｍｍ低い位置に設けたことを特徴とする請求項７に記載の顕微鏡標本用プレートを内容とする。
【００１９】
本発明の請求項９は、液体試料塗沫部の近傍に記録部を設けたことを特徴とする請求項１乃至請求項８のいずれか１項に記載の顕微鏡標本用プレートを内容とする。
【００２０】
本発明の請求項１０は、臨床検査用であることを特徴とする請求項１乃至請求項９のいずれか１項に記載の顕微鏡標本用プレートを内容とする。
【発明の効果】
【００２１】
本発明の顕微鏡標本用プレートは、合成樹脂製板の表面に堰止部により囲まれた液体試料塗沫部を設けたことにより、軽量で、破損し難く、嵩張らず、使用中に手指を傷つけることもないので取り扱い性及び作業性が良好であり、また、標本作成、顕微鏡観察、標本管理中に誤って落下させても破損しないので、貴重な標本を台無しにすることがなく、更には滅菌廃棄処理が容易である。
また、液体試料塗沫部をカバーフィルムで被覆し、これがカバーグラスの役割を果たすので、別途カバーグラスを用意する必要がなく、検体を保護するとともに顕微鏡で観察しやすい状態を維持する。
さらに、カバーフィルムは液体試料塗沫部ごとに各々独立しているため、一部の液体試料塗沫部のみに検体を塗布して検査した場合でも、既に使用した液体試料塗沫部のカバーフィルムを剥がすことなく、未使用の液体試料塗沫部のカバーフィルムのみを持ち上げて検体を塗沫し、検査を行うことが出来るため、塗沫部が無駄なく使用することができるので経済的である。また、既に使用した液体試料塗沫部のカバーフィルムを剥がす必要がないので、該塗沫部の検体を再検査する等、柔軟な利用が可能となる。
【００２２】
カバーフィルムの一部を液体試料塗沫部の周辺部で合成樹脂製板に固定することにより、カバーフィルムから手を離すと、弾性復元力と自重により、カバーフィルムは自動的に液体試料塗沫部上を覆うことになる。従って、通常のカバーグラスなどを使用する場合のような、カバーグラスを所定位置から取り出し、これを液体試料塗沫部が食み出さないように狙いを定めて該塗沫部を完全に覆うという煩雑な手間が不要であり、効率的な検査が可能となる。
【００２３】
液体試料塗沫部の個数を３〜５個とすることにより、一つの顕微鏡標本用プレートで３〜５個の検体を検査できることになり、使い勝手がよく、また使用するプレートの数及びプレートを保管するスペースが少なくて済む。
【００２４】
堰止部を凹状溝とすることにより、空気を巻き込み難く、また余分の液体試料を堰止め液体試料塗沫部の外へ洩れ出るといったトラブルが防止される。
【００２５】
堰止部を２重の凹状溝とすることにより、万一、内側の凹状溝で堰止められなかった液体試料を外側の凹状溝で堰止めることができるので、一層周囲を汚染することが防止される。
この場合、凹状溝の大きさは、合成樹脂製板の厚さにも因るが、その厚さが２ｍｍの場合、内側の凹状溝が幅０．３〜１．０ｍｍ、深さ０．３〜１．０ｍｍ、外側の凹状溝が幅０．５〜１．５ｍｍ、深さ０．５〜１．５ｍｍが好ましく、この範囲内であれば過分の試料を十分堰止めることができ、かつ合成樹脂製板の強度も十分保つことができる。
【００２６】
液体試料塗沫部を合成樹脂板の表面よりも僅かに低い位置に、好ましくは０．０３〜０．０６ｍｍ程度低い位置に設けることにより、所定量の液体試料を液体試料塗沫部内に採取（塗沫）し易くなり、未熟な技師でも好適な標本を作製することができる。
【００２７】
また、堰止部の外側に記録部を設けることにより、液体試料提供者の氏名、番号、記号等が記載でき、検査の作業性及び信頼性を高めることができる。また本発明の顕微鏡標本用プレートは臨床検査の特に尿沈渣観察用として有用である。
【発明を実施するための最良の形態】
【００２８】
本発明の顕微鏡標本用プレートは、合成樹脂製板の表面に、堰止部により囲まれた液体試料塗沫部を複数個設けるとともに、該液体試料塗沫部の各々を独立にカバーフィルムで被覆したことを特徴とする。
この顕微鏡標本用プレートにより検体を検査する場合は、一旦、カバーフィルムを持ち上げて液体試料塗沫部を露出させ、ここに検体を塗沫し、必要に応じ固定・染色処理を行ってからカバーフィルムを元の位置に戻し、その上を軽く押さえることにより液体試料塗沫部内に巻き込まれた空気や過分の検体を追い出し、カバーフィルムの上から顕微鏡で検体を観察する。
【００２９】
本発明では、各液体試料塗沫部がそれぞれ独立してカバーフィルムで被覆されているため、先ず顕微鏡標本用プレートに設けられた液体試料塗沫部のうち一部を用いて検査を行い、その結果をみて残部の液体試料塗沫部を使用するといった使用方法が可能となる。
具体的には、実際の検査においては、先ず未染色検査を行い、ここで異常が見つからなければ確認的に染色検査を行って正常か否かを判断する一方、未染色検査の段階で異常がみつかれば染色検査を省略して異常と判断する方法が採られるのが普通である。
この場合、例えば３個の液体試料塗沫部を有する顕微鏡標本用プレートを使用した場合についての使用例を説明すると、一つ目の塗沫部で一人目の患者の未染色検査を行い、陰性であれば二つ目の塗沫部で一人目の患者の染色検査を行う事ができる。ここで、未染色検査の段階で陽性であれば二つ目の塗沫部を一人目の患者のために使用する必要がなくなり、二人目の患者のために使用することができるため、塗沫部を無駄なく経済的に使用することができる。同様に三つ目の塗沫部も二人目の患者の染色検査（二人目の患者の未染色検査で陰性の場合）に使用するか、或いは三人目の患者の未染色試験に使用するかを、検査結果に応じて選択することができる。
【００３０】
本発明に用いられる合成樹脂製板の材質としての合成樹脂は、透明性等光学的特性及び耐薬品性に優れ、吸水性の小さいものであれば特に制限はなく、例えば、ポリエチレンテレフタレート、ポリブチレンテレフタレート、ポリナフタレンテレフタレート等のポリエステル、ポリカーボネート、ポリアミド、ポリアリレート等が挙げられる。これらの中で、ポリエステルが透明性、経済性等の点で好ましい。
【００３１】
合成樹脂製板の表面に、堰止部により囲まれた液体試料塗沫部が設けられる。
液体試料塗沫部は矩形、円形、楕円形、多角形等のいずれでもよく、そのサイズも特に制限されず所定の塗沫量に応じて適宜決定すればよいが、通常、矩形の場合は一辺が、また円形の場合は直径が、８〜２０ｍｍ程度のものが好ましい。これよりも小さい場合は液体試料の塗沫が困難であり、一方、これよりも大きくても意味がなく、却って、取り扱い性が悪くなるとともに、材料費が大きくなり不経済である。
【００３２】
堰止部は液体試料が塗沫部から洩れ出さないように堰止めるもので、塗沫部の外周に少なくとも１個設けられる。上限は特に制限されないが、実用性の面からは３個（３重）以内が好ましく、より好ましくは２個（２重）である。堰止部は、例えば、凸状壁、凹状溝、凹状溝と凸状壁との組み合わせが挙げられるが、空気を巻き込み難く、且つ余分の液体試料が洩出し難い点で凹状溝からなるものが好ましい。
【００３３】
凹状溝の大きさは、合成樹脂製板の厚さにも因るが、これが２ｍｍの場合、幅０．３〜１．５ｍｍ程度、深さ０．５〜１．５ｍｍ程度のものが好ましい。液体試料の漏出を、より確実に防止するには、内側の凹状溝と外側の凹状溝とからなる２重又は内側の凹状溝と中間の凹状溝と外側の凹状溝とからなる３重の構造とするのが好ましい。例えば、２重の凹状溝の場合は、内側の凹状溝は幅０．３〜１．０ｍｍ、深さ０．３〜１．０ｍｍ、外側の凹状溝は幅０．５〜１．５ｍｍ、深さ０．５〜１．５ｍｍ程度が好ましい。また内側の凹状溝より洩れ出た液体試料を外側の凹状溝で堰止めるために、内側の凹状溝よりも外側の凹状溝を大きく設計することが好ましい。３重の凹状溝を設ける場合も、内側、中間、外側と凹状溝が大きくなるように設計するのが好ましい。
但し、薄めの合成樹脂製板を使用する場合、凹状溝部分の合成樹脂製板の厚み、即ち凹状溝の底と合成樹脂製板の裏面の間隔、が０．５ｍｍ以上になるよう凹状溝の深さを定めるのが好ましい。これより薄い場合は合成樹脂製板の強度が弱くなり、底が抜ける場合があるため注意が必要である。
【００３４】
液体試料塗沫部は、合成樹脂板の表面よりも僅かに低い位置に、好ましくは０．０３〜０．０６ｍｍ程度、より好ましくは０．０４５ｍｍ程度低い位置に設けるのが好ましい。０．０６ｍｍを越えて低い位置に設けると、例えば赤血球が動きやすくなり不都合となる場合がある。０．０３ｍｍよりも浅い場合は未熟な技師が空気抜きなどでカバーフィルムを押さえる際に力を入れすぎてしまい、大部分の検体が塗沫部から追い出されて、検体が塗沫部内に十分残らない場合があり、不都合である。
【００３５】
合成樹脂製板は、作業性や取り扱い性の面からは一辺が５０〜１００ｍｍ程度の矩形が好ましいが、その場合、検体を塗沫したプレートを収納するため、特別に設計した容器が必要になる。従来から使用されている標本の収納容器を使用することを考慮すると、従来のスライドグラスと同サイズ、つまり短辺２６ｍｍ程度、長辺７６ｍｍ程度の矩形とするのが好ましい。
【００３６】
合成樹脂製板には、液体試料塗沫部を複数個設けるが、その数は特に限定されず、必要に応じて適当な数を設ければよく、通常の場合、３〜５個が好ましい。２個以下であると１枚の顕微鏡標本用プレート当りの塗沫部の数が少なくなるため、その分多量のプレートの数を多くする必要があり、その結果、プレートの管理が煩雑となるばかりでなく、プレート保管用のスペースが必要となるため不経済である。また、前記した顕微鏡標本用プレートの使用方法も制限される。また通常使用されているサイズのプレートに６個以上の液体試料塗沫部を設けた場合、各々の液体試料塗沫部が小さくなってしまうため液体試料の塗沫が困難となる。ここで、塗沫部を大きくするためにプレート自体を大きくすれば、通常のプレート容器を使用することが出来ず、このプレートを収納するために特別に設計した容器が別途必要となる。
液体試料塗沫部は、上記したように多様な使用方法ができるとともに、従来のスライドグラス用の容器等がそのまま使用できる点で、特に３個が好ましい。
【００３７】
液体試料塗沫部の近傍に、液体試料提供者の氏名や番号、記号等を記録するための記録部を設けることにより、作業性や依頼性を高めることができる。記録部は、例えば表面を荒らしたり、梨地状とすることにより設けられる。また、予め合成樹脂製板の液体試料塗沫部の近傍に、番号や記号を成形時に刻印したり、印刷等により設けておくことも可能である。
更に、顕微鏡標本用プレートの上下を区別できるように合成樹脂製板の角部のアールを変える、目印をつける、等のマーキングを施し、標本作成の作業性及び検査の信頼性を高めることも可能である。
【００３８】
本発明において液体試料塗沫部には、カバーフィルムを設ける。カバーフィルムはカバーグラスとして働くものであるから、少なくとも液体試料塗沫部を覆うに十分なサイズのものが必要である。
また、カバーフィルムはそれぞれの塗沫部毎に独立したものを使用する。これにより、まず一部の塗沫部のみを使用し、次に未使用の塗沫部を使用して検査を行おうとするとき、使用済みの塗沫部には何ら影響を与えたり、又は影響を受けることなく、未使用の塗沫部を被覆するカバーフィルムのみを持ち上げて検体を塗沫することができる。従って、塗沫部を無駄なく使用することができ、さらに検査済みの検体はカバーフィルムで覆われたままであるので、必要に応じ、これについて再検査が可能で且つ検査済みの検体が未使用の塗沫部に飛散して悪影響を及ぼすこともなく、精度の高い検査を行うことが出来る。
【００３９】
カバーフィルムは一つの塗沫部を独立して覆うことが出来る形状であれば足り、カバーフィルム自体が別々に成形される必要はない。従って、一枚のフィルムに切り込みを入れて、各カバーフィルムが非切り込み部で複数個つながった形状とし、それぞれのカバーフィルムがそれぞれの塗沫部を覆うようにしてもよい。勿論、塗沫部ごとに別々のカバーフィルムを使用してもよい。
別々のカバーフィルムを並べて使用する場合は、隣接するカバーフィルムの間に若干の隙間を設けるのが好ましい。カバーフィルムを持ち上げるときに隣接するカバーフィルムに引っ掛かってしまい、扱い難くなったり、誤って持ち上げるのを防ぐためである。具体的には、例えば３枚のカバーカバーフィルムを並設する場合、真中のカバーフィルムをやや小さめに形成し、その分カバーフィルム間の間隙を大きくすることにより、カバーフィルムを持ち上げる際、隣接するカバーフィルムとの接触を防ぐことができる。
【００４０】
カバーフィルムは顕微鏡標本用プレートに密着する接着性を有し、水分を透過させない水分バリヤー性及び透明性を有する合成樹脂フィルムが好ましく、このようなフィルムとしては、ポリエチレン、２軸延伸ポリプロピレン、防湿セロファン、ポリエステル、ポリアミド、エチレン−ビニルアルコール共重合樹脂、塩化ビニル樹脂、塩化ビニリデン樹脂等が挙げられる。カバーフィルムの厚みは特に制限されないが、５０〜３００μｍ程度のものが好ましい。
【００４１】
カバーフィルムはカバーフィルムの両端を顕微鏡標本用プレートに接着剤、粘着剤で仮（弱）接着して着脱自在に接着してもよく、また、一端を顕微鏡標本用プレートの左右いずれか一端にヒートシールや接着剤、粘着剤により固定しカバーフィルムの他端を持ち上げることにより開閉自在としてもよい。この場合、他端には接着剤又は粘着剤及び離型紙を順に積層し、接着又は仮接着したい場合には、該離型紙を剥し取り、露出した接着剤又は粘着剤により接着又は仮接着することもできる。
また、合成樹脂製板の端部を一部切り欠いて、或いはカバーフィルムの端縁を合成樹脂製板の上から僅かに突出させて、その部分はカバーフィルムのみとしてカバーフィルムを指で摘み易くしておくことにより、カバーフィルムの開閉を容易にすることができる。
【００４２】
上記の如き本発明の顕微鏡標本用プレートは、尿沈渣、唾液、血液等の液体試料の顕微鏡検査に有用であるが、特に尿沈渣の顕微鏡検査に好適である。
【実施例】
【００４３】
以下、実施例を示す図面に基づいて本発明を更に詳細に説明するが、本発明はかかる実施例のみに限定されるものではない。
【００４４】
実施例１
図１〜図３は、実施例１に係る顕微鏡標本用プレート１を示すもので、図１は顕微鏡標本用プレートの上面図、図２はＡ−Ａ断面図、図３は堰止部により囲まれた液体試料塗沫部の拡大図である。但し、図２のＡ−Ａ断面図は凹状溝３及び液体試料塗沫部４を強調するため、顕微鏡標本用プレート１の厚さ方向を約３倍に引き伸ばして表現している。
【００４５】
実施例１の顕微鏡標本用プレートは、図１に示されるとおり、合成樹脂製板２の表面に、堰止部３により囲まれた液体試料塗沫部４が３個形成されている。
合成樹脂製板２の大きさは、通常使用されるスライドグラスと同じく、２６ｍｍ×７６ｍｍ×１．４ｍｍであり、一般に使用されるスライドグラスの保存容器がそのまま使用できるようになっている。尚、合成樹脂製板２の左上の角部２ａは、他の３つの角部よりも大きなアールに設計されているが、これは顕微鏡標本用プレート１の上下を容易に区別し、標本作成の作業性及び検査の信頼性を高めるためのものである。
この実施例１における堰止部３は、図２に示されるとおり、凹状溝からなる。その大きさは、図３に示されるとおり、幅０．８ｍｍ、深さ０．５ｍｍ、内側の一辺２０ｍｍであり、この堰止部３に囲まれた部分に液体試料塗沫部４が形成されている。なお液体試料塗沫部４は一辺が１８ｍｍの正方形であり、合成樹脂製板の表面よりも０．０４５ｍｍ低い位置に設けられている。
【００４６】
本実施例の顕微鏡標本プレート１には、合成樹脂製板２の表面にカバーフィルム５が被着されている。カバーフィルム５の一端（図１では上側端部）はヒートシール６により、塗沫部４の周辺部で合成樹脂製板２に固定されている。このカバーフィルム５は２箇所に切り込みが入れられ上側端部で繋がっている１枚の板状部材であり、切り込みにより分離された各カバーフィルム５はそれぞれ独立して起伏することができ、それぞれのカバーフィルム５が独立してそれぞれの液体試料塗沫部を被覆している。
尚、図１及び図２に示すとおり、カバーフィルム５の端縁５ａ（図１では下側端部、図２では右側端部）がわずかに突出しているが、これはカバーフィルム５を開閉する場合に、この端縁５ａに指をかけてカバーフィルム５を容易に持ち上げることができるように配慮したものである。また、持ち上げたカバーフィルム５は端縁５ａから指をはずすことにより、カバーフィルム５はその弾性復元力と自重により自動的に液体試料塗沫部４の上に戻って自動的に検体を覆うので、わざわざ塗沫部４を食み出しなく覆うようにカバーフィルムを設置するための注意を払うことがなく、従って、作業性が大幅に高められ、効率的な検査が可能となる。
【００４７】
上記の顕微鏡標本用プレート１を用いて顕微鏡標本を作成するには、尿を採取し、これを遠心して上清を除去し、残った沈渣を該プレート１の液体試料塗沫部４に塗沫し、必要に応じて染色試薬で染色した後、カバーフィルム５を被着して標本とし、顕微鏡検査に供される。
【００４８】
実施例２
図４〜図６は、実施例２に係る顕微鏡標本用プレート１を示すもので、図４は顕微鏡標本用プレートの上面図、図５はＢ−Ｂ断面図、図６は堰止部により囲まれた液体試料塗沫部の拡大図である。但し、図５のＢ−Ｂ断面図は凹状溝３ａ、３ｂ及び液体試料塗沫部４を強調するため、顕微鏡標本用プレート１の厚さ方向を約３倍に引き伸ばして表現している。
【００４９】
実施例２の顕微鏡標本用プレート１は、液体試料塗沫部４を二重の凹状溝３ａ、３ｂで囲んだ点、及びカバーフィルム５が独立した別々の３枚の板状部材からなっている点を除く他は、実施例１のものと同様である。
この実施例２における堰止部３は、図５に示されるとおり、凹状溝からなる。その大きさは、図６に示されるとおり、内側堰止部３ａは幅０．５ｍｍ、深さ０．５ｍｍ、内側の一辺１８ｍｍであり、外側堰止部３ｂは幅０．８ｍｍ、深さ０．５ｍｍ、内側の一辺２０．４ｍｍであり、これらの内側堰止部３ａ及び外側堰止部３ｂにより囲まれた部分に液体試料塗沫部４が形成されている。この液体試料塗沫部４は一辺が１８ｍｍの正方形であり、合成樹脂製板２の表面から０．０４５ｍｍ低い位置に設けられている。
また実施例２におけるカバーフィルム５は両側部の液体試料塗沫部４上に配されたものは２３ｍｍ×２６ｍｍの矩形であるのに対し、その間の真中に配されたものは２２．４ｍｍ×２６ｍｍであり両側部に配されたカバーフィルムより若干小さなサイズとされている。そして真中のカバーフィルム５と両側部のカバーフィルム５の間にはそれぞれ０．３ｍｍの隙間が設けられ、これにより一のカバーフィルム５を持ち上げる際に隣接するカバーフィルム５に引っ掛かることもなく、スムースにカバーフィルム５を開閉することができる。
【００５０】
実施例３
実施例３の顕微鏡標本用プレート１は、図７に示すように、堰止部３により囲まれた５個の液体試料塗沫部４が合成樹脂製板２に設けられ、その下部に梨地からなる記録部７を設けた他は実施例１の場合と同様である。
このように、記録部７を設けることにより、尿沈渣提供者の氏名や番号、記号等を記録することができるので、作業性及び信頼性が高められる。
【００５１】
実施例４
実施例４の顕微鏡標本用プレート１は、図８に示すように、合成樹脂製板２の液体試料塗沫部４の下部に番号７ａを設けるとともに、カバーフィルム５の上側端部をヒートシールに代えて接着剤（粘着剤）６ａにより合成樹脂製板２に固定した他は実施例１の場合と同様である。
【００５２】
実施例５
実施例５の顕微鏡標本用プレート１は、図９に示すように、凹状溝からなる内側堰止部３ａと凹状溝からなる外側堰止部３ｂとの間を高さ０．５ｍｍの凸状壁からなる堰止部３ｃとした他は実施例１と同じである。
【産業上の利用可能性】
【００５３】
叙上のとおり、本発明の顕微鏡標本用プレートは、合成樹脂からなるので軽量で、破損し難く、薄くできるので嵩張らず、取り扱い性に優れている。その上, 液体試料塗沫部がカバーフィルムに覆われているので、検体をこのカバーフィルムで覆うのが容易であり、また、効率よく検査を行うことが出来る。さらに、このカバーフィルムは各液体試料塗沫部を各々独立して被覆しているので、一部の塗沫部のみを使った後でも残部の塗沫部を使用できるとともに、多様な使用方法が可能で、無駄なく経済的かつ効率的に使用することができる。
従って、大病院など大量の検体を検査する施設は勿論、顕微鏡標本用プレートに設けられた液体試料塗沫部を一度に使い切らないような小規模な施設においても経済的かつ効率的に利用できるものである。
【図面の簡単な説明】
【００５４】
【図１】実施例１の顕微鏡標本用プレートを示す上面図である。
【図２】図１のＡ−Ａ断面図である。
【図３】実施例１の液体試料塗沫部の拡大図である。
【図４】実施例２の顕微鏡標本用プレートを示す上面図である。
【図５】図４のＢ−Ｂ断面図である。
【図６】実施例２の液体試料塗沫部の拡大図である。
【図７】実施例３の顕微鏡標本用プレートを示す上面図である。
【図８】実施例４の顕微鏡標本用プレートを示す上面図である。
【図９】実施例５の顕微鏡標本用プレートを示す上面図である。
【符号の説明】
【００５５】
１  顕微鏡標本用プレート
２  合成樹脂製板
２ａ  角部
３  堰止部
３ａ  凹状溝からなる内側堰止部
３ｂ  凹状溝からなる外側堰止部
３ｃ  凸状壁からなる堰止部
４  液体試料塗沫部
５  カバーフィルム
５ａ  端縁
６  ヒートシール
６ａ  接着部
７  記録部
７ａ  番号
【図１】
2008076136.tif 000003
【図２】
2008076136.tif 000004
【図３】
2008076136.tif 000005
【図４】
2008076136.tif 000006
【図５】
2008076136.tif 000007
【図６】
2008076136.tif 000008
【図７】
2008076136.tif 000009
【図８】
2008076136.tif 000010
【図９】
2008076136.tif 000011